(57)【特許請求の範囲】
【請求項１】
透液性の表面シートと、裏面シートとの間に吸収体が介在された吸収性物品において、
前記表面シートは、上層及び下層からなる２層構造の不織布とされるとともに、上層不織布の繊度＞下層不織布の繊度関係とされ、所定パターンでエンボスが付与されることにより凹部及び凸部が交互に隣接形成されるとともに、前記表面シートは、体液排出部を含む中央部領域と、この中央部領域を囲む周辺領域とに区画され、前記体液排出部を含む中央部領域において、前記凹部が相対的に繊維密度の高い高密度領域とされ、前記凸部が相対的に繊維密度の低い低密度領域とされ、前記周辺領域において、前記凹部が相対的に繊維密度の低い低密度領域とされ、前記凸部が相対的に繊維密度の高い高密度領域とされ、前記表面シートの下面側に、前記表面シートよりも親水度が高く多数の開孔が形成された多孔プラスチックシートが配設されていることを特徴とする吸収性物品。
【請求項２】
前記表面シートにおいて、前記上層不織布の繊度が２．２〜１．７dtとされ、前記下層不織布の繊度が１．７dt未満としてある請求項１記載の吸収性物品。
【請求項３】
前記多孔プラスチックフィルムにおいて、吸収体側の面の親水度を表面シート側の面よりも高く設定し、表面側から裏面側にかけて親水度勾配を持たせるようにしてある請求項１〜２いずれかに記載の吸収性物品。
【請求項４】
前記多孔プラスチックフィルムの開孔は、表面シート側の開孔径が吸収体側の開孔径よりも大きい漏斗状に形成されている請求項１〜３いずれかに記載の吸収性物品。
【発明の詳細な説明】
【技術分野】
【０００１】
本発明は、表面シートにおいて、液の拡散性及び吸収性を高めるとともに、体液の逆戻りを効果的に防止し、かつ立体感に富み、高いクッション性を有する吸収性物品に関する。
【背景技術】
【０００２】
従来より、吸収性物品の表面材として、肌への接触面積を低減させることにより湿り感を抑える、或いは質感を出すと共に感触性を高めるなど種々の目的に応じて適宜のエンボスパターンが付与されたものが市場に提供されている。
【０００３】
例えば、下記特許文献１では、平面部を有しないように多数の畝部と溝部とが交互に配列されており、上記畝部は凸状に湾曲し且つ上記溝部は凹状に湾曲しており、上記溝部は間隔をおいて配置された多数の開孔を有している不織布を表面シートとして使用した吸収性物品が開示されている。
【０００４】
しかしながら、表面シートに凹凸を形成した場合は、下面側に配設される体液吸収性部材との密着性が低下するため、経血の拡散性及び吸収性が低下するという問題が新たに発生する。そこで、表面シートや表面シートの下面に配置されるセカンドシートにおいて、密度勾配差を付けることにより体液の流動を制御する技術が提案されている。
【０００５】
例えば、下記特許文献２では、身体側に面する透水性の表面側シートと、衣服側に面する裏面側シートと、前記表面側シート及び前記裏面側シートに内包され体液を吸収する機能を有する吸液性コアとを備える吸収性物品において、前記表面側シートと前記吸液性コアとの間に、当該吸液性コアに向く側の繊維密度が当該表面側シートに向く側の繊維密度より大きい体液透過性シート（セカンドシート）が設けられている吸収性物品が提案されている。この吸収性物品の場合は、表面側シートを通過し体液透過性シートの上面に達した体液は、繊維密度の勾配の高い方（吸液性コア側）に導かれるように移動するため、速やかに吸収されるようになるというものである。
【０００６】
また、下記特許文献３では、波形状の凹凸面状に加工された不織布表面シートにおいて、波の頂部と底部において繊維密度が高く、側壁部において繊維密度が小さくなるようにし、繊維密度の高い領域と繊維密度の低い領域との境界に多数の開孔が形成された表面シートが提案されている（同文献段落[0050]及び図４参照）。
【特許文献１】特開平８−３０２５５５号公報
【特許文献２】特開２００３−２１０５２３号公報
【特許文献３】特開２００１−３２８１９１号公報
【発明の開示】
【発明が解決しようとする課題】
【０００７】
しかしながら、上記特許文献２記載の吸収性物品の場合、体液透過性シートによって体液の拡散性と吸収性は確実に向上するが、直接肌と接触する表面シート面での拡散性が不十分であり、べた付き感が解消されていない。
【０００８】
上記特許文献３記載の表面シートでは、体液は相対的に低繊維密度領域側から高繊維密度領域側に移動するが、波の頂部に高繊維密度領域を有するため、該頂部に体液が保水され易く、べた付きが出やすい。また、繊維密度の高い領域と繊維密度の低い領域との境界に多数の開孔が形成されているため、繊維密度勾配が出来ず、経血が開孔に移行しづらいなどの問題があった。
【０００９】
そこで本発明の課題は、表面シートにおいて、液の拡散性及び吸収性を高めるとともに、体液の逆戻りを効果的に防止し、かつ立体感に富み、高いクッション性を有する吸収性物品を提供することにある。
【課題を解決するための手段】
【００１０】
前記課題を解決するために請求項１に係る本発明として、透液性の表面シートと、裏面シートとの間に吸収体が介在された吸収性物品において、
前記表面シートは、上層及び下層からなる２層構造の不織布とされるとともに、上層不織布の繊度＞下層不織布の繊度関係とされ、所定パターンでエンボスが付与されることにより凹部及び凸部が交互に隣接形成されるとともに、前記表面シートは、体液排出部を含む中央部領域と、この中央部領域を囲む周辺領域とに区画され、前記体液排出部を含む中央部領域において、前記凹部が相対的に繊維密度の高い高密度領域とされ、前記凸部が相対的に繊維密度の低い低密度領域とされ、前記周辺領域において、前記凹部が相対的に繊維密度の低い低密度領域とされ、前記凸部が相対的に繊維密度の高い高密度領域とされ、前記表面シートの下面側に、前記表面シートよりも親水度が高く多数の開孔が形成された多孔プラスチックシートが配設されていることを特徴とする吸収性物品が提供される。
【００１１】
上記請求項１記載の本発明においては、上層及び下層からなる２層構造の不織布とされるとともに、上層不織布の繊度＞下層不織布の繊度の関係とされる。すなわち、下層側不織布の繊度を相対的に下げることにより、下層不織布の密度を上層不織布よりも高くし、上下層の不織布間で粗密関係を形成するようにする。
【００１２】
同時に、前記表面シートには、所定パターンでエンボスが付与されることにより凹部及び凸部が交互に隣接形成されるとともに、前記凹部が相対的に繊維密度の高い高密度領域とされ、前記凸部が相対的に繊維密度の低い低密度領域とされる。
【００１３】
従って、前記表面シートに体液が排出されると、凸部に存在する体液は、繊維密度勾配によって凹部側に速やかに移動するため体液の拡散性が良好となるとともに、上下層の不織布間の粗密関係により、表面側（凸部）に体液が保水されることがなく吸収体側に移行するため、表面シートのべた付き感が解消されるようになる。
【００１４】
また、前記表面シートの下面側に、前記表面シートよりも親水度が高く多数の開孔が形成された多孔プラスチックシートを配設するようにしてある。従って、体液が凹部に集まるように拡散した後、その多くが下層側に配置された体液透過性の高い多孔プラスチックシートを通過して吸収体に至るとともに、その後に圧力を受けたとしても、逆戻りが防止されるようになる。
【００１５】
さらに、上記請求項１記載の発明は、表面シートは、体液排出部を含む中央部領域と、この中央部領域を囲む周辺領域とに区画され、前記中央部領域においては、前記請求項１に係る発明で規定したように、凹部が相対的に繊維密度の高い高密度領域とされ、凸部が相対的に繊維密度の低い低密度領域とされているが、前記周辺領域においては、繊維密度関係が逆の関係、すなわち凹部が相対的に繊維密度の低い低密度領域とされ、凸部が相対的に繊維密度の高い高密度領域とされているものである。
【００１６】
前記周辺領域では、凹部が相対的に繊維密度の低い低密度領域とされることにより、この柔軟な低密度領域部分がいわばバネ効果を生み出し、高いクッション性を付与することが可能となる。また、肌と接触する凸部が相対的に繊維密度の高い高密度領域とされることにより、滑らかさが上がり肌触り感が良好となる。
【００１７】
請求項２に係る本発明として、前記表面シートにおいて、前記上層不織布の繊度が２．２〜１．７dtとされ、前記下層不織布の繊度が１．７dt未満としてある請求項１記載の吸収性物品が提供される。
【００１８】
上記請求項２記載の本発明は、表面シートにおける上下層の不織布の繊度を具体的に規定したものである。従来の不織布を用いた表面シートの場合は、繊度２〜３dt程度の繊維を使用しているが、手触り感の滑らかさに欠けるという欠点があった。そこで、不織布の繊度を下げ滑らかさを付与しようとすると、今度は繊維の密度が高くなり、経血が表面シートに残るという問題が発生していた。本発明では、滑らかさを付与するために上層不織布の繊度を２．２〜１．７dtとして繊度を下げたとしても、下層不織布の繊度をそれよりも低い１．７dt未満としているため、粗密関係により経血が吸収体側に吸収され、表面シートには経血が残らない。
【００１９】
請求項３に係る本発明として、前記多孔プラスチックフィルムにおいて、吸収体側の面の親水度を表面シート側の面よりも高く設定し、表面側から裏面側にかけて親水度勾配を持たせるようにしてある請求項１〜２いずれかに記載の吸収性物品が提供される。
【００２０】
上記請求項３記載の本発明では、体液の吸収体側への引込み力を上げるために、多孔プラスチックフィルムの吸収体側の面の親水度を表面シート側の面よりも高く設定し、表面側から裏面側にかけて親水度勾配を持たせるようにしたものである。
【００２１】
請求項４に係る本発明として、前記多孔プラスチックフィルムの開孔は、表面シート側の開孔径が吸収体側の開孔径よりも大きい漏斗状に形成されている請求項１〜３いずれかに記載の吸収性物品が提供される。
【００２２】
上記請求項４記載の本発明は、一旦多孔プラスチックフィルムを通過した体液を逆戻りさせないようにするため、開孔を漏斗状とするものである。
【発明の効果】
【００２３】
以上詳説のとおり本発明によれば、液の拡散性及び吸収性を高めるとともに、体液の逆戻りを効果的に防止し、かつ立体感に富み、高いクッション性を有する吸収性物品を得ることができる。
【発明を実施するための最良の形態】
【００２４】
以下、本発明の実施の形態について図面を参照しながら詳述する。図１は本発明に係る生理用ナプキン１の一部破断斜視図である。
〔吸収性物品１の構造〕
生理用ナプキン１は、主にはパンティライナー、生理用ナプキン、おりものシート、失禁パッドなどの用途に供されるもので、例えば図１に示されるように、不透液性裏面シート２と、透液性表面シート３（以下、単に表面シートという。）との間に、吸収体４または同図に示されるように、好ましくはクレープ紙５によって囲繞された吸収体４が介在されるとともに、前記表面シート３と吸収体４との間であって、表面シート３の下面側に多孔プラスチックフィルム６を配置した構造となっている。なお、前記吸収体４の周囲においては、前記不透液性裏面シート２と表面シート３とがホットメルト接着剤等の接着手段によって接合されている。
【００２５】
前記不透液性裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００２６】
前記表面シート３は、図２に示されるように、上層３Ａ及び下層３Ｂからなる２層構造の不織布とされるとともに、上層不織布３Ａの繊度＞下層不織布３Ｂの繊度関係とされ、図３に示されるように、所定パターンでエンボスが付与されることにより凹部８，８…及び凸部７，７…が交互に隣接形成されるとともに、前記凹部８，８…が相対的に繊維密度の高い高密度領域とされ、前記凸部７，７…が相対的に繊維密度の低い低密度領域とされる。この表面シート３については後段でさらに具体的に詳述する。
【００２７】
前記不透液性裏面シート２と表面シート３との間に介在される吸収体４は、たとえばパルプ中に高吸水性樹脂を混入したもの、或いはパルプ中に化学繊維を混入させるとともに、粒状の高吸水性樹脂を混入したものが使用される。前記吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２８】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００２９】
前記高吸水性樹脂９は、図６に示されるように、裏面シート２側よりも多孔プラスチックフィルム６側の含有量が多くなるように偏在して混入するのが望ましい。これにより、多孔プラスチックフィルム６に到達した体液を吸収体４に効果的に引き込むことが可能となる。
【００３０】
前記透液性表面シート３と吸収体４との間に配置される多孔プラスチックフィルム６は、前記表面シート３よりも親水度が高く、かつ多数の開孔６ａ、６ａ…が形成されたフィルムシートである。フィルムの素材は、たとえばポリエチレンまたはポリプロピレン等のオレフィン系の熱可塑性樹脂フィルムが好適に使用されるが、ポリエステル、ナイロンなどのポリアミド系樹脂、ＥＶＡなども使用することができる。
【００３１】
前記開孔６ａの径は、０．０５〜２．０mm、好適には０．１〜１．０mmとし、その開孔数は２００〜６００個／cm２程度とするのが望ましい。前記開孔６ａを形成するには、合成樹脂シートを軟化温度付近に軟化させて、多数の開孔を有する支持体の上面に位置させた状態で、支持体の下方から吸引したり、支持体の上面から空気圧を加圧したりする方法や、合成樹脂シート素材に多数のスリットを刻印した後に、シート素材を延伸して開孔させる方法、更には多数のニードル（加熱針）を突き刺すことによって開孔を形成する方法など多種の方法があり、適宜の方法によって形成することができるが、一旦通過した体液の逆戻りを防止するためには、前記ニードルによる開孔方法によって、図５に示されるように、表面シート３側の開孔径ｄ１が吸収体４側の開孔径ｄ２よりも大きい漏斗状に形成するのが望ましい。なお、図５(A)は逆円錐台状に開孔を形成した態様であり、図５(B)は異形に開孔を形成した態様である。また、添付図面では上記図５以外は開孔が省略されている。
【００３２】
〔表面シート３及び多孔プラスチックフィルム６からなる表層構造〕
前記表面シート３は、前述したように、上層３Ａ及び下層３Ｂからなる２層構造の不織布とされるとともに、上層不織布３Ａの繊度＞下層不織布３Ｂの繊度関係とされる。具体的には、前記上層不織布３Ａの繊度が２．２〜１．７dtとされ、前記下層不織布３Ｂの繊度が１．７dt未満とされる。この場合、上層不織布３Ａを構成する繊維及び下層不織布３Ｂを構成する繊維に異なる繊度の繊維を用いるようにしても良いし、上層不織布３Ａには繊度の異なる繊維を混入することにより繊度を上げるようにしてもよい。
【００３３】
また、前記上層不織布３Ａと下層不織布３Ｂの目付けは、上層不織布３Ａの目付け＞下層不織布３Ｂの目付けの目付け関係とするのが望ましい。これにより、肌に当たる上層不織布３Ａでのクッション性を良好とすることができる。
【００３４】
前記表面シート３は、図３に示されるように、所定パターンでエンボスが付与されることにより凹部８，８…及び凸部７，７…が長手方向及び短手方向に交互に隣接形成されるとともに、少なくとも体液排出部Ｈを含む中央部領域Ｓにおいては、前記凹部８，８…が相対的に繊維密度の高い高密度領域とされ、前記凸部７，７…が相対的に繊維密度の低い低密度領域とされる。
【００３５】
この表面シート３を構成する素材繊維としては、たとえばポリエチレンまたはポリプロピレン等のオレフィン系、ポリエステル系、ポリアミド系等の合成繊維とすることができ、エアスルー法、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、エアスルー法、サーマルボンド法は嵩高でソフトである点で優れている。これらの中でも、繊維密度勾配を付けやすいエアスルー不織布を使用するのが望ましい。
【００３６】
不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３７】
前記表面シート３は、体液に対して親水性を有するようにする。具体的には、ポリエチレンまたはポリプロピレン等のオレフィン系、ポリエステル系、ポリアミド系等の合成繊維を親水化剤によって表面処理したり、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を付与した繊維を用いるようにする。
【００３８】
この場合、表面シート３の内、上層不織布３Ａと下層不織布３Ｂとで親水度を変えるようにしてもよい。例えば、上層不織布３Ａをレギュラー親水とし、下層不織布３Ｂについては耐久親水とする。下層不織布３Ｂの親水度を上げることにより、表面に体液を残さず、下層不織布３Ｂ側に効果的に移行させることができる。
【００３９】
前記表面シート３に対して、凹部８，８…及び凸部７，７…が交互に隣接形成されるとともに、前記凹部８，８…が相対的に繊維密度の高い高密度領域とされ、前記凸部７，７…が相対的に繊維密度の低い低密度領域とされるようにエンボスを付与するには、図７に示されるように、凸状部１０ａ、１０ａ…と凹状部１０ｂ、１０ｂ…が多数配列された第１エンボスロール１０と、凸状部１１ａ、１１ａ…と凹状部１１ｂ、１１ｂ…とが多数配列された第２エンボスロール１１とから構成されるとともに、噛み合わせた状態で前記第１エンボスロール１０の凸状部１０ａと、第２エンボスロール１１の凹状部１１ｂが接触するか近接するようにしたものを用い、これら第１エンボスロール１０と第２エンボスロール１１との間に前記表面シート３を通過させることにより、凹部８，８…及び凸部７，７…が交互に隣接形成するとともに、凹状部８、８…が高圧縮されることにより凸部７よりも繊維密度が高くなるようにすることができる。
【００４０】
前記凹部８，８…の間隔Ｐは、２〜６mm、好ましくは３〜５mmとされ、その中間に凸部７，７…が存在するように形成される。また、凹部８，８…と凸部７，７…とは隣接して形成されることが望ましい。また、高低差ｈは、０．３〜２mm、好ましくは０．５〜１．０mmとするのが望ましい。
【００４１】
前記表面シート３の下面側に積層される多孔プラスチックフィルム６は、前記表面シート３よりも親水度が高くなるように親水化剤によって処理される。かかる親水性の付与は、前記多孔プラスチックフィルム６の表裏面に対して界面活性剤（親水化剤）を塗布することにより成される。
【００４２】
前記界面活性剤としては、例えば陰イオン性界面活性剤、カルボン酸塩、アシル化加水分解タンパク質、スルホン酸塩、硫酸エステル塩、リン酸エステル塩、非イオン性界面活性剤、ポリオキシエチレン系界面活性剤、カルボン酸エステル、カルボン酸アミド、ポリアルキレノキシドブロック共重合物、陽イオン性界面活性剤、第四級アンモニウム塩、両性界面活性剤、イミダゾリニウム誘導体等が挙げられ、この他にも繊維に塗布される界面活性剤として公知の界面活性剤であればどのようなものを適用しても良い。
【００４３】
前記界面活性剤の塗布方法としては、例えばスプレーによる塗布、グラビア印刷やフレキソ印刷による塗工、各種コータによるカーテン塗工を上げることができる。親水度の調整は、前記界面活性剤の塗布量を調整することにより行うことが可能である。
【００４４】
また、前記多孔プラスチックフィルム６においては、図６に示されるように、吸収体４側の面の親水度を表面シート３側の面よりも高く設定し、表面側から裏面側にかけて親水度勾配を持たせるようにしてもよい。親水度勾配を持たせることにより、多孔プラスチックフィルム６の上面に存在する体液を効果的に吸収体４側に引込みできるようになる。
【００４５】
前記表面シート３に対してシート単独の状態でエンボスが付与された後、前記多孔プラスチックフィルム６と積層される。この場合、前記表面シート３の各凹部８，８…において互いに接合されていることが望ましい。接合方法は、熱融着、超音波融着、接着剤等任意の方法を採用することができる。接合部となる凹部８，８…以外の凸部７，７…では多孔プラスチックフィルム６との間に空間が存在することになるため、高いクッション性を有するようになる。接着剤による接合の場合、塗布パターンは、表面シート３の浮きを防止するとともに、多孔プラスチックフィルム６と均一に貼り合わせるために、螺旋状のスパイラルパターン塗布よりは波状線を細かく並べたシグマパターン塗布とするのが望ましい。
【００４６】
以上詳述した表層構造の場合は、図６に示されるように、前記凸部７，７…が相対的に繊維密度の低い低密度領域ＤＬとされ、前記凹部８，８…が相対的に繊維密度の高い高密度領域ＤＨとされ、前記低密度領域ＤＬから前記高密度領域ＤＨに至る繊維密度勾配が形成される。その結果、前記表面シート３に体液が排出されると、凸部７，７…に存在する体液は、繊維密度勾配によって凹部８，８…側に速やかに移動するため体液の拡散性が良好となるとともに、表面側（低密度領域ＤＬ側）に体液が保水されることがなくなるため、べた付き感が解消されるようになる。また、下層側には透過性の高い多孔プラスチックフィルム６が配設されているとともに、該多孔プラスチックフィルム６は前記表面シート３よりも親水度が高く設定されているため、体液が凹部８，８…に集まるように拡散した後、その多くが下層側に配置された透水性の高い多孔プラスチックシート６を透過して吸収体４に至るとともに、その後に圧力を受けた場合でも逆戻りが防止されるようになる。
【００４７】
ところで、前記表面シート３は、図１に示されるように、体液排出部Ｈを含む中央部領域Ｓと、この中央部領域Ｓを囲む周辺領域Ｋとに区画され、前記中央部領域Ｓにおいては、前述したように、前記凹部８，８…が相対的に繊維密度の高い高密度領域とされ、前記凸部７，７…が相対的に繊維密度の低い低密度領域とされるが、前記周辺領域Ｋにおいて、図８に示されるように、繊維密度関係が逆の関係、すなわち凹部８、８…が相対的に繊維密度の低い低密度領域ＤＬとされ、凸部７、７…が相対的に繊維密度の高い高密度領域ＤＨとされていることが望ましい。前記周辺領域Ｋでは、凹部８が相対的に繊維密度の低い低密度領域ＤＬとされることにより、この柔軟な低密度領域ＤＬがいわばバネ効果を生み出し、高いクッション性を付与することが可能となる。
【００４８】
前記中央領域Ｓと周辺領域Ｋとで、凸部７と凹部８との繊維密度関係を逆転させるには、図９に示されるように、中央部領域Ｓにおいては、凸状部１０ａ、１０ｄ…と凹状部１０ｂ、１０ｃ…が多数配列された第１エンボスロール１０と、凸状部１１ａ、１１ｄ…と凹状部１１ｂ、１１ｃ…とが多数配列された第２エンボスロール１１とから構成されるとともに、噛み合わせた状態で、中央部領域Ｓでは前記第１エンボスロール１０の凸状部１０ａと、第２エンボスロール１１の凹状部１１ｂが接触するか近接するようにし、周辺領域Ｋでは前記第１エンボスロール１０の凹状部１０ｃと第２エンボスロールの凸状部１１ｄとが接触するか近接するようにしたものを用い、これら第１エンボスロール１０と第２エンボスロール１１との間に前記表面シート３を通過させるようにすればよい。
【００４９】
〔その他の形態例〕
(1)上記形態例では、凸部７，７…、凹部８…がナプキン長手方向及び短手方向に格子状又は千鳥状に形成された例であるが、凸部７、７…及び凹部８，８…が一方向に沿って交互に、すなわち波状に形成されることでもよい。
(2)上記形態例では、表面シート３に対してシート単独の状態でエンボスを付与した後、前記多孔プラスチックフィルム６と積層させるようにしたが、表面シート３と多孔プラスチックフィルム６とを接着剤等で貼り合わせた後、エンボスを付与するようにしてもよい。表面シート３の高密度領域と多孔プラスチックフィルム６との密着性を高め、経血を移行しやすくするためには、接着剤だけの貼り合わせよりも、表面シートと多孔プラスチックフィルムを一緒にエンボスで付与した方が密着性は高くなる。
【００５０】
この場合、表面シート３の柔らかさを維持するため、表面シート３の肌側に当たる部分に熱を当てないようにするのが望ましい。具体的には、図１０に示されるように、第１エンボスロール１０の凹状部０ｂ部分の熱開放空間１０ｃを連続的に形成し、熱を表面シート３に当てないようにする。表面シート３の凸部７，７…となる部分に熱を当てていないため、表面シート３と多孔プラスチックフィルム６とは熱融着せず、表面シート３と多孔プラスチックフィルム６との間に空間が形成されるようになるため、クッション性は維持されるようになる。なお、操業時のエンボス温度条件は、多孔プラスチックフィルムが高密度ポリエチレンである場合は、融点は130℃であるため、130℃以下で操業し、低密度ポリエチレンの場合は、融点は90℃であるため、90℃以下で操業する。
【図面の簡単な説明】
【００５１】
【図１】本発明に係る吸収性物品１の一部は段斜視図である。
【図２】表面シート３の断面図である。
【図３】その要部拡大横断面図である。
【図４】作用効果を説明するための表面シート３の要部拡大断面図である。
【図５】(A)(B)は共に多孔プラスチックフィルム６の開孔態様を示す要部拡大断面図である。
【図６】本吸収性物品１の変形例を示す要部拡大断面図である。
【図７】第１エンボスロール１０と、第２エンボスロール１１との噛み合わせ状態を示す図である。
【図８】中央部領域Ｓと周辺領域Ｋとで密度関係を変えた表面シート３例を示す横断面図である。
【図９】その場合の第１エンボスロール１０と、第２エンボスロール１１との噛み合わせ状態を示す図である。
【図１０】第１エンボスロール１０の変形例を示すエンボスロール断面図である。
【符号の説明】
【００５２】
１…吸収性物品（生理用ナプキン）、２…不透液性裏面シート、３…透液性表面シート、４…吸収体、５…クレープ紙、６…多孔プラスチックフィルム、、７…凸部、８…凹部、９…高吸水性樹脂、１０…第１エンボスロール、１０ａ・１０ｄ…凸状部、１０ｂ・１０ｃ…凹状部、１１…第２エンボスロール、１１ａ・１１ｄ…凸状部、１１ｂ・１１ｃ…凹状部、ＤＬ…低密度領域、ＤＨ…高密度領域、Ｓ…中央部領域、Ｋ…周辺領域
【図１】
0005074977.tif 000002
【図２】
0005074977.tif 000003
【図３】
0005074977.tif 000004
【図４】
0005074977.tif 000005
【図５】
0005074977.tif 000006
【図６】
0005074977.tif 000007
【図７】
0005074977.tif 000008
【図８】
0005074977.tif 000009
【図９】
0005074977.tif 000010
【図１０】
0005074977.tif 000011